(57)【要約】【課題】本考案は、携帯可能な喫煙用収納具にカード収納部を設け、カード携帯時の紛失防止を図るカード収納部を有する携帯可能な喫煙用収納具を実現することを目的としている。【解決手段】このため、煙草及び喫煙用具を収納する本体収納部と、本体収納部における煙草及び喫煙用具の出し入れ口を覆う蓋部と、本体収納部を携帯可能に取り付けるベルト用保持部とを備える携帯可能な喫煙用収納具において、この喫煙用収納具にカード収納部を設けている。【選択図】図１
0003140837.tif 000002
【実用新案登録請求の範囲】
【請求項１】
煙草及び喫煙用具を収納する本体収納部と、この本体収納部における煙草及び喫煙用具の出し入れ口を覆う蓋部と、前記本体収納部を携帯可能に取り付けるベルト用保持部とを備える携帯可能な喫煙用収納具において、この喫煙用収納具にカード収納部を設けたことを特徴とするカード収納部を有する携帯可能な喫煙用収納具。
【請求項２】
前記カード収納部は、前記喫煙用収納具の本体収納部においてベルト用保持部の形成される背面側に形成したことを特徴とする請求項１に記載のカード収納部を有する携帯可能な喫煙用収納具。
【請求項３】
前記カード収納部は、前記喫煙用収納具の本体収納部においてベルト用保持部の形成される背面側に収納される一方、前記本体収納部に対して接離可能とする連結手段を備えることを特徴とする請求項１に記載のカード収納部を有する携帯可能な喫煙用収納具。
【請求項４】
前記連結手段は、前記喫煙用収納具の本体収納部と前記カード収納部とを連結する索状連結部材と、この索状連結部材の引き出しまたは巻き取りを行い前記本体収納部に対してカード収納部を接離可能とする索状巻き取り手段とを備えることを特徴とする請求項３に記載のカード収納部を有する携帯可能な喫煙用収納具。
【考案の詳細な説明】
【技術分野】
【０００１】
この考案はカード収納部を有する携帯可能な喫煙用収納具に係り、特に携帯可能な喫煙用収納具に専用のカード収納部を設け、カード携帯時の紛失防止を図るカード収納部を有する携帯可能な喫煙用収納具に関するものである。
【背景技術】
【０００２】
現在、小物入れが種々販売されている。
この小物入れとしては、ベルトに取り付けられるベルト取付タイプのものや、肩ひもを使用したショルダータイプのものなどがある。
また、前記小物入れに収納される収納対象物としては、財布や携帯電話、煙草、ライターや携帯用灰皿からなる喫煙用具などが考えられる。
【０００３】
【特許文献１】特開２００３−１２５８３３号公報
【特許文献２】実開平７−３４６９８号公報
【考案の開示】
【考案が解決しようとする課題】
【０００４】
ところで、従来の携帯可能な喫煙用収納具においては、収納対象物が煙草及びライターや携帯用灰皿からなる喫煙用具であり、小型・軽量化を図って持ち歩きを容易とするために、前記ベルト取付タイプのものが主流を成している傾向にある。
現在、現金を携帯しないで（「マネーレス」とも換言可能である。）、カードや携帯電話のみを携帯して決済する人種も増加しつつある。
【０００５】
しかし、上記のカードの場合には、収納する際に財布や専用のカード収納具を使用する必要があるため、前記喫煙用収納具とは別に、携帯しなければならず、カードの携帯が面倒であるという不都合がある。
【０００６】
また、前記カードを喫煙用収納具に収納することも可能であるが、単に喫煙用収納具内に収納しておくと、煙草やその他の喫煙用具の取り出し時に、カードが付随して引き出され、カードを紛失してしまうというおそれがあり、改善が望まれていた。
【０００７】
この考案の目的は、携帯可能な喫煙用収納具に専用のカード収納部を設け、カード携帯時の紛失を防止し得るカード収納部を有する携帯可能な喫煙用収納具を実現することにある。
【課題を解決するための手段】
【０００８】
そこで、この考案は、上述不都合を除去するために、煙草及び喫煙用具を収納する本体収納部と、この本体収納部における煙草及び喫煙用具の出し入れ口を覆う蓋部と、前記本体収納部を携帯可能に取り付けるベルト用保持部とを備える携帯可能な喫煙用収納具において、この喫煙用収納具にカード収納部を設けたことを特徴とする。
【考案の効果】
【０００９】
以上詳細に説明した如くこの考案によれば、煙草及び喫煙用具を収納する本体収納部と、本体収納部における煙草及び喫煙用具の出し入れ口を覆う蓋部と、本体収納部を携帯可能に取り付けるベルト用保持部とを備える携帯可能な喫煙用収納具において、喫煙用収納具にカード収納部を設けている。
従って、携帯可能な喫煙用収納具に専用のカード収納部を設けることができ、煙草や喫煙用具の取り出し時にカードを紛失してしまうというおそれを確実に回避し、カード携帯時の紛失を防止し得る。
【考案を実施するための最良の形態】
【００１０】
以下図面に基づいてこの考案の実施例を詳細に説明する。
【実施例１】
【００１１】
図１及び図２はこの考案の第１実施例を示すものである。
図１及び図２において、１は携帯可能な喫煙用収納具である。
この喫煙用収納具１は、煙草２及び喫煙用具、例えばライター３を収納するために、箱状に形成される本体収納部４と、この本体収納部４における煙草２及びライター３の出し入れ口である上部開口部５を覆うために、前記本体収納部４の背面側４ｂに一端側が取り付けられて、この本体収納部４の上方から本体収納部４の正面側４ａに他端側が垂れ下がる蓋部６と、前記本体収納部４を携帯可能に取り付けるベルト用保持部７とを備えている。
つまり、前記喫煙用収納具１は、背面側４ｂにベルト用保持部７を形成してベルト取付タイプとしている。
このとき、ベルト用保持部７としては、図１に示す如く、ベルト通し機能を有するようにループ状とする構成（単に「ベルトループ」とも換言できる。）が考えられるが、ループ状の構成以外にも、帯状部材（図示せず）の両端に図示しない着脱自在素材を設け、前記喫煙用収納具１を図示しないベルトに取り付ける際に、帯状部材をベルトに捲回した後に着脱自在素材同士を係止させる構成とすることも可能である。
また、前記蓋部６においては、単に垂れ下がった状態とすることも可能であるが、上記した着脱自在素材やフックなどの既製の係止手段（図示せず）を使用して蓋部６の開放を阻止する方策を施すことも可能である。
【００１２】
そして、前記喫煙用収納具１にカード収納部８を設ける。
詳述すれば、このカード収納部８は、図１に示す如く、前記喫煙用収納具１の本体収納部４において、前記ベルト用保持部７の形成される背面側４ｂに形成する。
このとき、前記カード収納部８を上部開放形式のポケット状とし、カード９を収納するものである。
なお、カードとしては、通常の銀行系カードや信販系カード、電子マネー用カードなどが考えられるが、近時発行予定の成人識別用カードも含まれる。
【００１３】
次に作用を説明する。
【００１４】
前記喫煙用収納具１の本体収納部４においては、図２に示す如く、煙草２及び喫煙用具であるライター３が収納される。
そして、前記本体収納部４内に煙草２及びライター３を収納した後には、本体収納部４の上部開口部５を前記蓋部６によって覆う。
【００１５】
また、前記前記喫煙用収納具１の本体収納部４の背面側４ｂに形成される前記カード収納部８においては、上部開放形式のポケット状としたことにより、図１に示す如く、必要時にカード収納部８からカード９を引き出し、カード９を使用する。
そして、カード９の使用後には、前記カード収納部８にカード９を収納する。
なお、前記ベルト用保持部７に着脱自在素材やフックなどの既製の係止手段を使用した場合には、前記カード収納部８からカード９を引き出すことなく、前記喫煙用収納具１をベルトから取り外し、カード読み取り装置にカード情報を読み込ませることも可能である。
【００１６】
これにより、前記煙草２及び喫煙用具であるライター３を収納する本体収納部４と、この本体収納部４における煙草２及びライター３の出し入れ口である上部開口部５を覆う蓋部６と、前記本体収納部４を携帯可能に取り付けるベルト用保持部７とを備える携帯可能な喫煙用収納具１において、この喫煙用収納具１にカード収納部８を設けている。
従って、携帯可能な喫煙用収納具１に専用のカード収納部８を一体的に設けることができ、煙草２や喫煙用具であるライター３の取り出し時にカード９を紛失してしまうというおそれを回避し、カード携帯時の紛失を確実に防止し得るものである。
そして、専用のカード収納部８を喫煙用収納具１に一体的に形成することにより、喫煙用収納具１のコンパクト化が図れ、持ち運びが容易である。
【００１７】
また、前記カード収納部８を、前記喫煙用収納具１の本体収納部４においてベルト用保持部７の形成される背面側４ｂに形成している。
従って、前記煙草２や喫煙用具であるライター３を収納する前記本体収納部４と前記カード収納部８とを確実に隔離することができ、煙草２や喫煙用具であるライター３の取り出し時にカード９を紛失してしまうというおそれが全くなく、信頼性の高い喫煙用収納具１を実現することが可能である。
そして、前記喫煙用収納具１にベルト用保持部７を形成したことにより、カード９の取り出し時に片手で行うことも可能であり、使い勝手の向上に寄与し得る。
【００１８】
更に、前記カード収納部８内にカード９として成人識別用カードを入れておく状況とすれば、煙草２の購入時に必要な成人識別をカード９によって容易に行うことが可能となり、実用上有利である。
【実施例２】
【００１９】
図３はこの考案の第２実施例を示すものである。
この第２実施例において、上述第１実施例のものと同一機能を果たす箇所には、同一符号を付して説明する。
【００２０】
この第２実施例の特徴とするところは、前記喫煙用収納具１の本体収納部４において、ベルト用保持部７の形成される背面側４ｂにカード収納部１１を収納する一方、このカード収納部１１を前記本体収納部４に対して接離可能とする連結手段１２を備えた点にある。
【００２１】
すなわち、前記喫煙用収納具１の本体収納部４において、図３に示す如く、本体収納部４の背面側４ｂに下部開口部１３を有する収納体１４を形成するものである。
【００２２】
また、前記連結手段１２は、図３に示す如く、前記喫煙用収納具１の本体収納部４と前記カード収納部１１とを連結する索状連結部材１５と、この索状連結部材１５の引き出しまたは巻き取りを行い、前記本体収納部４に対してカード収納部１１を接離可能とする索状巻き取り手段１６とを備えている。
つまり、前記索状連結部材１５は、金属製やプラスチック製、布製など索状とすることの可能な材料によって形成することができるとともに、細かな鎖状を「索状」と解することも可能である。
また、前記索状巻き取り手段１６としては、前記カード収納部１１を前記本体収納部４から離間させるように引き出した後に、付勢力などを利用して前記収納体１４内にカード収納部１１を戻すことのできるものであればよく、弦巻状ばねなど弾性付勢力を使用することによって実現可能である。
【００２３】
さすれば、上述第１実施例と同様に、携帯可能な喫煙用収納具１に専用のカード収納部１１を設けることができ、煙草や喫煙用具であるライターの取り出し時にカードを紛失してしまうというおそれを回避し、カード携帯時の紛失を確実に防止し得るものである。
【００２４】
また、前記カード収納部１１は、前記喫煙用収納具１の本体収納部４において、ベルト用保持部７の形成される背面側４ｂに収納される一方、前記本体収納部４に対して接離可能とする連結手段１２を備えている。
従って、上述第１実施例と同様に、前記煙草や喫煙用具であるライターを収納する前記本体収納部４と前記カード収納部１１とを確実に隔離することができるとともに、前記連結手段１２によって、煙草２や喫煙用具であるライター３の取り出し時にカードを紛失してしまうというおそれが全くなく、信頼性の高い喫煙用収納具１を実現することが可能である。
【００２５】
更に、前記連結手段１２が、前記喫煙用収納具１の本体収納部４と前記カード収納部１１とを連結する索状連結部材１６と、この索状連結部材１６の引き出しまたは巻き取りを行い、前記本体収納部４に対してカード収納部１１を接離可能とする索状巻き取り手段１６とを備えている。
従って、前記カード収納部１１を前記本体収納部４から離間させるように引き出すことにより、カードを簡単に使用、つまりカード読み取り装置にカード情報を容易に読み込ませることができる一方、カードの使用後には、前記索状巻き取り手段１６の弾性付勢力などを利用して前記収納体１４内にカード収納部１１を戻すことができ、前記喫煙用収納具１の使い勝手を向上させることができる。
そして、前記喫煙用収納具１からカード収納部１１を取り出す際には、片手で行うことも可能であり、使い勝手の向上に寄与し得る。
【実施例３】
【００２６】
図４はこの考案の第３実施例を示すものである。
【００２７】
この第３実施例の特徴とするところは、連結手段２１を、帯状連結部材２２と巻き取り手段２３とを備える構成とした点にある。
【００２８】
すなわち、前記連結手段２１の帯状連結部材２２において、図４に示す如く、この帯状連結部材２２の一端側を喫煙用収納具側に接続する一方、帯状連結部材２２の他端側にカード収納部２４を形成したものである。
このとき、前記帯状連結部材２２は、前記巻き取り手段２３による巻き取り効率を考慮し、軽量かつ強靱な材料を使用して形成することが可能である。
なお、前記帯状連結部材２２の「帯状」とは、全面をシート状に形成したもののみでなく、網目状に形成したものをも含んでいる。
【００２９】
また、前記巻き取り手段２３は、図４に示す如く、前記帯状連結部材２２を巻き取る巻き取りローラ部２５と、この巻き取りローラ２５を回転させる駆動部２６とからなる。
そして、この駆動部２６としては、一般的な駆動用モータを使用した構成とすることも可能であるが、ばねやゴムなどの弾性付勢力を利用した構成とすることも可能である。
【００３０】
さすれば、上述第１及び第２実施例と同様に、携帯可能な喫煙用収納具に専用のカード収納部２４を設けることができ、煙草や喫煙用具であるライターの取り出し時にカードを紛失してしまうというおそれを回避し、カード携帯時の紛失を確実に防止し得るものである。
【００３１】
また、前記連結手段２１は、前記喫煙用収納具の本体収納部に一端側が接続されるとともに、他端側に前記カード収納部２４を形成した帯状連結部材２２と、この帯状連結部材２２の引き出しまたは巻き取りを行い、前記本体収納部に対してカード収納部２４を接離可能とする巻き取り手段２３とを備えている。
従って、上述第２実施例と同様に、前記カード収納部２４を前記本体収納部から離間させるように引き出すことにより、カードを簡単に使用、つまりカード読み取り装置にカード情報を容易に読み込ませることができる一方、カードの使用後には、前記巻き取り手段２３の付勢力などを利用して前記帯状連結部材２２を所定位置に戻すことができ、前記喫煙用収納具の使い勝手を向上させることができる。
また、前記喫煙用収納具からカード収納部２４を取り出す際には、片手で行うことも可能であり、上述第２実施例と同様に、喫煙用収納具の使い勝手の向上に寄与し得る。
【実施例４】
【００３２】
図５はこの考案の第４実施例を示すものである。
【００３３】
この第４実施例の特徴とするところは、連結手段３１を、折り畳み自在な帯状連結部材３２と、この帯状連結部材３２を折り畳み収納した際に、カード収納部３３を保持する保持手段３４とを備える構成とした点にある。
【００３４】
すなわち、前記連結手段３１の帯状連結部材３２において、図５に示す如く、帯状連結部材３２の一端側を喫煙用収納具の本体収納部に接続する一方、帯状連結部材３２の中間部位を折り畳み自在とする。
そして、帯状連結部材３２の他端側にはカード収納部３３を形成するものである。
【００３５】
また、前記保持手段３４は、帯状連結部材３２の一端側である前記喫煙用収納具の本体収納部に設けられる第１係止部３５と、前記帯状連結部材３２の他端側のカード収納部３３部位に設けられる第２係止部３６とからなる。
このとき、前記第１及び第２係止部３５、３６としては、上述第１実施例にて説明した着脱自在素材などを利用する。
【００３６】
さすれば、上述第１〜第３実施例と同様に、携帯可能な喫煙用収納具に専用のカード収納部３３を設けることができ、煙草や喫煙用具であるライターの取り出し時にカードを紛失してしまうというおそれを回避し、カード携帯時の紛失を確実に防止し得るものである。
【００３７】
また、前記連結手段３１は、前記喫煙用収納具の本体収納部に一端側が接続され、中間部位を折り畳み自在とするとともに、他端側に前記カード収納部３３を形成した帯状連結部材３２と、この帯状連結部材３２を折り畳み収納する際に、前記カード収納部３３を保持する保持手段３４とを備えている。
従って、上述第２及び第３実施例と同様に、前記カード収納部３３を前記本体収納部から離間させることにより、カードを簡単に使用、つまりカード読み取り装置にカード情報を容易に読み込ませることができる一方、カードの使用後には、前記帯状連結部材３２の折り畳み自在な性質を利用してカード収納部３３を所定位置に収納することができ、前記喫煙用収納具の使い勝手を向上させることができる。
また、前記喫煙用収納具からカード収納部３３を取り出す際には、片手で行うことも可能であり、上述第２及び第３実施例と同様に、喫煙用収納具の使い勝手の向上に寄与し得る。
【実施例５】
【００３８】
図６はこの考案の第５実施例を示すものである。
【００３９】
この第５実施例の特徴とするところは、喫煙用収納具４１の本体収納部４２における煙草及び喫煙用具の出し入れ口である上部開口部４３を覆う蓋部４４を複数枚の平面状部材により形成し、これら蓋部４４にカード収納部４５を夫々形成した点にある。
【００４０】
すなわち、前記蓋部４４は、図６に示す如く、例えば４枚の第１〜第４蓋部４４−１、４４−２、４４−３、４４−４からなる。
このとき、これらの第１〜第４蓋部４４−１、４４−２、４４−３、４４−４の一端側は前記喫煙用収納具４１の本体収納部４２に固定され、第１〜第４蓋部４４−１、４４−２、４４−３、４４−４の他端側は夫々分離可能な状態となっている。
【００４１】
また、前記第１〜第４蓋部４４−１、４４−２、４４−３、４４−４、つまり、これらの第１〜第４蓋部４４−１、４４−２、４４−３、４４−４の他端側には、前記カード収納部４５を夫々形成する。
このとき、１枚の蓋部４４に対して１個のカード収納部４５を形成することが可能であるが、１枚の蓋部４４に対して複数個のカード収納部４５を形成し、カードの収納容量を増加させることも可能である。
【００４２】
さすれば、上述第１〜第４実施例と同様に、携帯可能な喫煙用収納具に専用のカード収納部４５を設けることができ、煙草や喫煙用具であるライターの取り出し時にカードを紛失してしまうというおそれを回避し、カード携帯時の紛失を確実に防止し得るものである。
【００４３】
また、前記喫煙用収納具４１の本体収納部４２における煙草及び喫煙用具の出し入れ口である上部開口部４３を覆う蓋部４４を複数枚の平面状部材により形成し、これら蓋部４４にカード収納部４５を夫々形成している。
従って、上述第２〜第４実施例と同様に、前記カード収納部４５を前記本体収納部４２から離間させることにより、カードを簡単に使用、つまりカード読み取り装置にカード情報を容易に読み込ませることができ、前記喫煙用収納具４１の使い勝手を向上させることができる。
そして、複数枚、例えば４枚の第１〜第４蓋部４４−１、４４−２、４４−３、４４−４の他端側に前記カード収納部４５を夫々形成したことにより、複数枚のカードを収納することが可能となり、カードの収納容量を増加させて喫煙用収納具４１の使い勝手の向上に寄与し得る。
【実施例６】
【００４４】
図７はこの考案の第６実施例を示すものである。
【００４５】
この第６実施例の特徴とするところは、喫煙用収納具５１の本体収納部５２に対して、係止手段５３によってカード収納部５４を取付・取り外し可能に構成した点にある。
【００４６】
すなわち、図７に示す如く、前記喫煙用収納具５１の本体収納部５２において、図示しないベルト用保持部の形成される背面側に対して逆側となる正面側５２ａに前記カード収納部５４を配置するものである。
このとき、前記本体収納部５２に対してカード収納部５４を取付・取り外し可能とする前記係止手段５３としては、図７に示す如く、上述第１実施例にて説明した着脱自在素材などを利用する。
【００４７】
さすれば、上述第１〜第５実施例と同様に、携帯可能な喫煙用収納具に専用のカード収納部５４を設けることができ、煙草や喫煙用具であるライターの取り出し時にカードを紛失してしまうというおそれを回避し、カード携帯時の紛失を確実に防止し得るものである。
【００４８】
また、前記喫煙用収納具５１の本体収納部５２において、図示しないベルト用保持部の形成される背面側に対して逆側となる正面側５２ａに前記カード収納部５４を配置する一方、前記本体収納部５２に対してカード収納部５４を取付・取り外し可能とする係止手段５３を備えている。
従って、上述第２〜第５実施例と同様に、前記カード収納部５４を前記本体収納部５２から離間させることができることにより、カードを簡単に使用、つまりカード読み取り装置にカード情報を容易に読み込ませることができ、前記喫煙用収納具５１の使い勝手を向上させることができる。
そして、前記係止手段５３によって、前記本体収納部５２に対してカード収納部５４を取付・取り外し可能としたことにより、カード収納部５４の利と付け・取り外し作業を容易に行うことができるとともに、複数個のカード収納部を準備しておけば、使用目的に合致するカードのみを携帯することも可能となり、前記喫煙用収納具５１の使い勝手の向上に寄与し得る。
【００４９】
なお、この考案は上述第１〜第６実施例に限定されるものではなく、種々の応用改変が可能である。
【００５０】
例えば、この考案の第１〜第６の各実施例においては、カードを収納するカード収納部を、単にポケット状とする構成としたが、カード収納部に改良を加える特別構成とすることも可能である。
すなわち、カード収納部６１の表面側６１ｆの一部に、図８に示す如く、透明部材あるいは切り欠いた目視可能部６２を形成するものである。
さすれば、前記カード収納部６１にカードを収納した際に、目視可能部６２によってカードの種類を識別することができ、カード収納部６１の使い勝手を向上し得る。
また、前記カード収納部６１に形成する目視可能部６２の形状を、カードの種類部分や番号部分など、主要部分が開示されるような形状に変形すれば、カードの種類の識別性がより一層上昇し、カード収納部６１の使い勝手の向上に寄与し得るものである。
【実施例７】
【００５１】
図９はこの考案の第７実施例を示すものである。
【００５２】
この第７実施例の特徴とするところは、喫煙用収納具７１の本体収納部７２における煙草及び喫煙用具の出し入れ口である上部開口部７３を覆う蓋部７４を平面状部材により形成した際に、この蓋部７４の表裏面の少なくとも一面にカード収納部７５を形成した点にある。
【００５３】
すなわち、図９（ａ）及び図９（ｂ）に示す如く、前記蓋部７４の表裏面の少なくとも一面、つまり、蓋部７４の表面側および／または蓋部７４の裏面側にカード収納部７５を形成するものである。
このとき、前記蓋部７４の表裏面の両面にカード収納部７５を形成する状態とする場合には、内部の収納部位を１箇所とし、カードの出し入れ口を前記蓋部７４の表裏両面に夫々形成すれば、対処可能である。
【００５４】
さすれば、上述第１〜第６実施例と同様に、携帯可能な喫煙用収納具７１に専用のカード収納部７５を設けることができ、煙草や喫煙用具であるライターの取り出し時にカードを紛失してしまうというおそれを回避し、カード携帯時の紛失を確実に防止し得るものである。
【００５５】
また、前記喫煙用収納具７１の本体収納部７２における煙草及び喫煙用具の出し入れ口である上部開口部７３を覆う蓋部７４を平面状部材により形成し、この蓋部７４の表裏面の少なくとも一面にカード収納部７５を形成している。
従って、上述第２〜第６実施例と同様に、前記カード収納部７５を前記本体収納部７２から離間させることにより、カードを簡単に使用、つまりカード読み取り装置にカード情報を容易に読み込ませることができ、前記喫煙用収納具７１の使い勝手を向上させることができる。
【００５６】
なお、この第７実施例においては、前記喫煙用収納具７１に金具フック７６を使用する態様としたが、上述実施例に記載したベルト通し機能を有するようにループ状とする構成、つまり「ベルトループ」とすることも可能である。
【実施例８】
【００５７】
図１０はこの考案の第８実施例を示すものである。
【００５８】
この第８実施例の特徴とするところは、喫煙用収納具８１の本体収納部８２を形成した際に、この本体収納部８２の前面部位にカード収納部８５を入れるポケット部８７を形成した点にある。
【００５９】
すなわち、図１０（ａ）及び図１０（ｂ）に示す如く、前記喫煙用収納具８１の本体収納部８２を形成した際に、この本体収納部８２の前面に別部材８８を取り付けて、本体収納部８２の前面と別部材８８との間に収納空間を現出させ、前記ポケット部８７として機能させるものである。
【００６０】
さすれば、上述第１〜第７実施例と同様に、携帯可能な喫煙用収納具８１に専用のカード収納部８５を設けることができ、煙草や喫煙用具であるライターの取り出し時にカードを紛失してしまうというおそれを回避し、カード携帯時の紛失を確実に防止し得るものである。
【００６１】
また、前記喫煙用収納具８１の本体収納部８２の前面部位にカード収納部８５を入れるポケット部８７を形成している。
従って、上述第２〜第７実施例と同様に、前記カード収納部８５を前記本体収納部８２から離間させることにより、カードを簡単に使用、つまりカード読み取り装置にカード情報を容易に読み込ませることができ、前記喫煙用収納具８１の使い勝手を向上させることができる。
【実施例９】
【００６２】
図１１はこの考案の第９実施例を示すものである。
【００６３】
この第９実施例の特徴とするところは、喫煙用収納具９１の本体収納部９２を形成した際に、この本体収納部９２の前面部位にカード収納部９５を入れるポケット部９７を形成するとともに、収納時のカード収納部９５の脱落を防止するための脱落防止手段９８を設けた点にある。
【００６４】
すなわち、図１１に示す如く、前記喫煙用収納具９１の本体収納部９２を形成した際に、この本体収納部９２の前面に別部材９９を取り付けて、本体収納部９２の前面と別部材９９との間に収納空間を現出させ、前記ポケット部９７として機能させるものである。
そして、前記脱落防止手段９８としては、ホックやマグネットを使用し、前記喫煙用収納具９１の本体収納部９２に対して、カード収納部９５を着脱自在とする。
【００６５】
さすれば、上述第１〜第８実施例と同様に、携帯可能な喫煙用収納具９１に専用のカード収納部９５を設けることができ、煙草や喫煙用具であるライターの取り出し時にカードを紛失してしまうというおそれを回避し、カード携帯時の紛失を確実に防止し得るものである。
【００６６】
また、前記喫煙用収納具９１の本体収納部９２の前面部位にカード収納部９５を入れるポケット部９７を形成するとともに、収納時のカード収納部９５の脱落を防止するための脱落防止手段９８を設けている。
従って、上述第２〜第８実施例と同様に、前記カード収納部９５を前記本体収納部９２からスライド移動によって離間させることにより、カードを簡単に使用、つまりカード読み取り装置にカード情報を容易に読み込ませることができ、前記喫煙用収納具９１の使い勝手を向上させることができる一方、前記脱落防止手段９８によって、前記カード収納部９５の前記喫煙用収納具９１の本体収納部９２からの脱落を確実に防止している。
【実施例１０】
【００６７】
図１２はこの考案の第１０実施例を示すものである。
【００６８】
この第１０実施例の特徴とするところは、喫煙用収納具１０１を折り畳み可能な形状とした点にある。
【００６９】
すなわち、図１２（ａ）に示す如く、前記喫煙用収納具１０１の本体部１０２を平面状に形成し、この本体部１０２を横２つ折りとして、例えば本体部１０２の右側に第１別部材１０３を取り付けて本体収納部１０４を形成する。
また、本体部１０２の左側には、第２別部材１０５を取り付けてカード１０６を収納するためのカード収納部１０７を形成するものである。
更に、前記本体部１０２の中央部位にはフラップホック１０８を取り付け、図１２（ｂ）に示す如く、前記本体部１０２の横２つ折りの際の開閉を行うものである。
【００７０】
さすれば、上述第１〜第９実施例と同様に、携帯可能な喫煙用収納具１０１に専用のカード収納部１０７を設けることができ、煙草や喫煙用具であるライターの取り出し時にカードを紛失してしまうというおそれを回避し、カード携帯時の紛失を確実に防止し得るものである。
【００７１】
また、前記喫煙用収納具１０１を折り畳み可能な形状としている。
従って、前記フラップホック１０８を外して前記本体部１０２を開き、カード収納部１０７を現出させることにより、カード１０６を簡単に使用、つまりカード読み取り装置にカード情報を容易に読み込ませることができ、前記喫煙用収納具１０１の使い勝手を向上させることができる。
【実施例１１】
【００７２】
図１３はこの考案の第１１実施例を示すものである。
【００７３】
この第１１実施例の特徴とするところは、喫煙用収納具１１１の本体収納部１１２の背面部位に着脱自在なカード収納部１１５を設けた点にある。
【００７４】
すなわち、図１０（ａ）及び図１０（ｂ）に示す如く、前記喫煙用収納具１１１の本体収納部１１２の背面部位にカード収納部１１５を着脱自在に設けるために、着脱手段１１６を設ける。
このとき、この着脱手段１１６としては、ホックやマグネットを使用するものである。
【００７５】
さすれば、上述第１〜第１０実施例と同様に、携帯可能な喫煙用収納具１１１に専用のカード収納部１１５を設けることができ、煙草や喫煙用具であるライターの取り出し時にカードを紛失してしまうというおそれを回避し、カード携帯時の紛失を確実に防止し得るものである。
【００７６】
また、前記喫煙用収納具１１１の本体収納部１１２の背面部位に着脱手段１１６によって着脱自在なカード収納部１１５を設けている。
従って、上述第２〜第９実施例と同様に、前記カード収納部１１５を前記本体収納部１１２から離間させることにより、カードを簡単に使用、つまりカード読み取り装置にカード情報を容易に読み込ませることができ、前記喫煙用収納具１１１の使い勝手を向上させることができる。
【図面の簡単な説明】
【００７７】
【図１】この考案の第１実施例を示す喫煙用収納具のカード収納部にカードを収納する状態の斜視図である。
【図２】喫煙用収納具の本体収納部に煙草及び喫煙用具を収納する状態の斜視図である。
【図３】この考案の第２実施例を示す喫煙用収納具の本体収納部の背面側に形成した収納体とカード収納部とを示す概略説明図である。
【図４】この考案の第３実施例を示すカード収納部を形成した帯状連結部材と、帯状巻き取り手段とを備える連結手段の概略斜視図である。
【図５】この考案の第４実施例を示す折り畳み自在で、かつ端部にカード収納部を形成した帯状連結部材と、カード収納部を保持する保持手段とを備える連結手段の概略斜視図である。
【図６】この考案の第５実施例を示す蓋部を複数枚の平面状部材により形成した喫煙用収納具の斜視図である。
【図７】この考案の第６実施例を示す喫煙用収納具の本体収納部に対してカード収納部を取付・取り外し可能とする係止手段を示す斜視図である。
【図８】この考案の他の第１の実施例を示すカード収納部の概略正面図である。
【図９】この考案の第７実施例を示し、（ａ）は蓋部を開放した状態の喫煙用収納具の斜視図、（ｂ）は喫煙用収納具の斜視図である。
【図１０】この考案の第８実施例を示し、（ａ）は喫煙用収納具の概略斜視図、（ｂ）はカード収納部の概略図である。
【図１１】この考案の第９実施例を示す喫煙用収納具の概略斜視図である。
【図１２】この考案の第１０実施例を示し、（ａ）は喫煙用収納具の本体部を平面状に開放した状態の概略斜視図、（ｂ）は本体部を横２つ折りとした喫煙用収納具の概略斜視図である。
【図１３】この考案の第１１実施例を示し、（ａ）は喫煙用収納具の背面側からの斜視図、（ｂ）はカード収納部の概略図である。
【符号の説明】
【００７８】
１  喫煙用収納具
２  煙草
３  ライター
４  本体収納部
４ａ  正面側
４ｂ  背面側
５  上部開口部
６  蓋部
７  ベルト用保持部
８  カード収納部
９  カード
【図１】
0003140837.tif 000003
【図２】
0003140837.tif 000004
【図３】
0003140837.tif 000005
【図４】
0003140837.tif 000006
【図５】
0003140837.tif 000007
【図６】
0003140837.tif 000008
【図７】
0003140837.tif 000009
【図８】
0003140837.tif 000010
【図９】
0003140837.tif 000011
【図１０】
0003140837.tif 000012
【図１１】
0003140837.tif 000013
【図１２】
0003140837.tif 000014
【図１３】
0003140837.tif 000015